(57)【要約】      （修正有）【課題】マグネット付き書類クリップの構造改良の提供。【解決手段】現在のパソコン用書類クリップは価格が高く、スペースをとるなど欠点が多い。ここで述べるソフト磁石は相対する磁石の両面に磁気吸引性を備える磁性体１０で、磁性体は外端１１と内端１２があり、弱磁性部２１の基層２０を備えるもので、２つの磁性体の外端を接続または被覆し、その磁性体を吸引または離隔させ、粘着層を基層の裏側に置くことで、ソフト磁石をあらゆる位置に固定させることができる。そして、磁性金属層を基層と磁性体の間に最低１つ入れ、その他の磁性物と覚書またはメモ用紙を基層の外側表面に吸着させるものである。【選択図】図１
0003119983.tif 000002
【実用新案登録請求の範囲】
【請求項１】
マグネット付き書類クリップ構造の改良において、相対する２つの吸引する磁性体があり、その磁性体には外端と内端を含み、弱磁性部の基層をもち、前述の２つの磁性体の外端を接続または被覆し、磁性体をお互いに吸引または離隔し、粘着層が基層の裏側につけられており、離型層または離型フィルムの取り外しが可能な粘着層の上につけられていることを特徴とするマグネット付き書類クリップ構造の改良。
【請求項２】
請求項１で述べたマグネット付き書類クリップ構造の改良において、基層の外側表面に商標・図案・文字等が印刷できることを特徴とするマグネット付き書類クリップ構造の改良。
【請求項３】
請求項１で述べたマグネット付き書類クリップ構造の改良において、基層の内側表面と磁性体の間に磁性金属層が最低１つ入っていることを特徴とするマグネット付き書類クリップ構造の改良。
【請求項４】
請求項１で述べたマグネット付き書類クリップ構造の改良において、磁性金属層が対称的に基層の内側表面と２つの磁性体の間にそれぞれ入っていることを特徴とするマグネット付き書類クリップ構造の改良。
【請求項５】
マグネット付き書類クリップ構造の改良において、磁気吸引端と非磁気吸引端という相対する２つの端面を持ち、基層が相対する２つの端面の非磁気吸引端に被覆され、弱磁性部により磁気吸引端が相対して吸引・離隔し、粘着層が基層の裏側につけられ、離型層または離型フィルムがいつでも取り外せるように粘着層の上に取り付けてあることを特徴とするマグネット付き書類クリップ構造の改良。
【請求項６】
請求項５で述べたマグネット付き書類クリップ構造の改良において、基層の外側表面に商標・図案・文字が印刷できることを特徴とするマグネット付き書類クリップ構造の改良。
【請求項７】
請求項５で述べたマグネット付き書類クリップ構造の改良において、磁性金属層が最低１つ取り付けられるように非磁気吸引端が基層の内側表面に沿って一部のエリアの材料が取り外せることを特徴とするマグネット付き書類クリップ構造の改良。
【請求項８】
マグネット付き書類クリップ構造の改良において、相対して磁気吸引する磁気吸引層をもち、その磁気吸引層には外端と内端が含まれており、その磁気吸引層の外側を被覆する弱磁性部の基層を備え、その基層の裏側には粘着層が取り付けられており、取り外しが可能な離型層または離型フィルムがその粘着層の上につけられていることを特徴とするマグネット付き書類クリップ構造の改良。
【請求項９】
請求項８で述べたマグネット付き書類クリップ構造の改良において、基層の外側の表面に商標・図案・文字がプレスできることを特徴とするマグネット付き書類クリップ構造の改良。
【請求項１０】
請求項８で述べたマグネット付き書類クリップ構造の改良において、磁性金属層が磁気吸引層の外端につけられていることを特徴とするマグネット付き書類クリップ構造の改良。
【請求項１１】
請求項１０で述べたマグネット付き書類クリップ構造の改良において、磁性金属層が基層内側の表面と磁気吸引層の間に被覆されていることを特徴とするマグネット付き書類クリップ構造の改良。
【考案の詳細な説明】
【技術分野】
【０００１】
本考案は粘着層、磁性金属層などのソフト磁石を使用したソフト磁石の構造に関する。
【背景技術】
【０００２】
最低１つの面に磁性がある細長い形状のものを応用し、金属性磁性をもつ物体または板体に対して吸引作用があるものを使い、紙や薄型の書類を磁性吸着作用により金属製の板や壁に掛け、使用者が見やすい設計にしてあるのは従来の技術である。例えば、ソフト磁石の多くは酸化鉄粉にゴムやプラスチックを混入した複合材料の中に、最低１回着磁加工し、パルス電流を使ってそれぞれの磁化エリアの磁気誘導装置を通し、基礎材料の表面にそれぞれ異なった磁性の磁極を感知させ、強靭かつ相互吸着または磁性金属質の材料（被吸着物）に吸着するソフト磁石を形成する。これらソフト磁石の裏面またはもう一方の面には商標または広告図案または文字を刻印することができ、しおりとしたり、書類の位置づけなどに使ったりすることができる。例えば、「第９２２２０９１９号『磁気吸着式書類クリップの構造改良』」、「第９２２２０２６２『磁石型しおりの構造改良』」特許案などが典型的な実施例である。
【０００３】
ソフト磁石が文書の位置づけで応用される課題は、使用者がパソコンを打とうとする時に、ソフト磁石がパソコンのパネルまたはパネル近くの位置に固定されにくいので、使用者にとり見にくいことである。実務的には使用者はパソコン用書類クリップなど別の固定器具を使って、打ちたい文書や資料を挟んでいる。しかし、パソコン用書類スタンドはかなりのスペースを取られるため、使用者も使うのが億劫になってくる。このように、ソフト磁石の応用面から考えて理想的とはいいがたいのである。
【０００４】
代表的なことは、これらの参考資料はソフト磁石の設計技術面のことを指しており、技術面で少し改良しただけで、特許が与えられているのが現状である。もし、ソフト磁石の構造について再度検討したなら、その構造は使用者の違いにより、使用形態も変えられるほか、従来と違った使い方が可能になり、実際その応用範囲も広がるだろう。例えば、ソフト磁石の構造設計をもっと精密にするという条件に合わせ、直接パソコンのパネルの近くまたはその他類似物に固定させたり、このソフト磁石をさらに進化させてメモや覚書として使ったりすることもできるが、これらの課題は上述の特許案では教示も披露もされていない。
【考案の開示】
【考案が解決しようとする課題】
【０００５】
本考案の主な目的はマグネット付き書類クリップの構造を改良することにある。このクリップは２つの磁性吸着性のある磁性体を備え、磁性体は外端と内端を含み、弱磁性部の基層を備え、上述した２つの磁性体の外端を連結または被覆し、その磁性体が相対的に吸引または隔離させる。その基層の裏側には粘着層があり、ソフト磁石をパソコンのパネルまたはその他類似部品の上に固定することで、現有のパソコン用書類クリップの価格の高さとスペースの無駄などの欠点を改善するものである。
【０００６】
本考案であるマグネット付き書類クリップの構造改良によれば、基層内側の表面と磁性体の間には最低１つの磁性金属層を入れ、その他の磁性金属物とメモや覚書などを基層の外側の表面に吸着させることができるものである。
【０００７】
本考案であるマグネット付き書類クリップの構造改良によれば、一体を形成するものには、それぞれ磁性吸着端と非磁性吸着端という相対する２つの端面があり、また基層は弱磁性部を含む２つの相対する非磁性吸着端を被覆し、その磁性吸着端を吸引または離隔させるものが含まれる。
【課題を解決するための手段】
【０００８】
請求項１の考案は、マグネット付き書類クリップ構造の改良において、相対する２つの吸引する磁性体があり、その磁性体には外端と内端を含み、弱磁性部の基層をもち、前述の２つの磁性体の外端を接続または被覆し、磁性体をお互いに吸引または離隔し、粘着層が基層の裏側につけられており、離型層または離型フィルムの取り外しが可能な粘着層の上につけられていることを特徴とするマグネット付き書類クリップ構造の改良としている。
請求項２の考案は、請求項１で述べたマグネット付き書類クリップ構造の改良において、基層の外側表面に商標、図案、文字等が印刷できることを特徴とするマグネット付き書類クリップ構造の改良としている。
請求項３の考案は、請求項１で述べたマグネット付き書類クリップ構造の改良において、基層の内側表面と磁性体の間に磁性金属層が最低１つ入っていることを特徴とするマグネット付き書類クリップ構造の改良としている。
請求項４の考案は、請求項１で述べたマグネット付き書類クリップ構造の改良において、磁性金属層が対称的に基層の内側表面と２つの磁性体の間にそれぞれ入っていることを特徴とするマグネット付き書類クリップ構造の改良としている。
請求項５の考案は、マグネット付き書類クリップ構造の改良において、磁気吸引端と非磁気吸引端という相対する２つの端面を持ち、基層が相対する２つの端面の非磁気吸引端に被覆され、弱磁性部により磁気吸引端が相対して吸引、離隔し、粘着層が基層の裏側につけられ、離型層または離型フィルムがいつでも取り外せるように粘着層の上に取り付けてあることを特徴とするマグネット付き書類クリップ構造の改良としている。
請求項６の考案は、請求項５で述べたマグネット付き書類クリップ構造の改良において、基層の外側表面に商標、図案、文字が印刷できることを特徴とするマグネット付き書類クリップ構造の改良としている。
請求項７の考案は、請求項５で述べたマグネット付き書類クリップ構造の改良において、磁性金属層が最低１つ取り付けられるように非磁気吸引端が基層の内側表面に沿って一部のエリアの材料が取り外せることを特徴とするマグネット付き書類クリップ構造の改良としている。
請求項８の考案は、マグネット付き書類クリップ構造の改良において、相対して磁気吸引する磁気吸引層をもち、その磁気吸引層には外端と内端が含まれており、その磁気吸引層の外側を被覆する弱磁性部の基層を備え、その基層の裏側には粘着層が取り付けられており、取り外しが可能な離型層または離型フィルムがその粘着層の上につけられていることを特徴とするマグネット付き書類クリップ構造の改良としている。
請求項９の考案は、請求項８で述べたマグネット付き書類クリップ構造の改良において、基層の外側の表面に商標、図案、文字がプレスできることを特徴とするマグネット付き書類クリップ構造の改良としている。
請求項１０の考案は、請求項８で述べたマグネット付き書類クリップ構造の改良において、磁性金属層が磁気吸引層の外端につけられていることを特徴とするマグネット付き書類クリップ構造の改良としている。
請求項１１の考案は、請求項１０で述べたマグネット付き書類クリップ構造の改良において、磁性金属層が基層内側の表面と磁気吸引層の間に被覆されていることを特徴とするマグネット付き書類クリップ構造の改良としている。
【考案の効果】
【０００９】
本考案の主な目的はマグネット付き書類クリップの構造を改良することにある。このクリップは２つの磁性吸着性のある磁性体を備え、磁性体は外端と内端を含み、弱磁性部の基層を備え、上述した２つの磁性体の外端を連結または被覆し、その磁性体が相対的に吸引または隔離させる。その基層の裏側には粘着層があり、ソフト磁石をパソコンのパネルまたはその他類似部品の上に固定することで、現有のパソコン用書類クリップの価格の高さとスペースの無駄などの欠点を改善する。
【考案を実施するための最良の形態】
【００１０】
図１、図２、図３のように、本考案であるマグネット付き書類クリップの改良構造は、２つの相対する磁性吸着性がある磁性体１０を備え、その磁性体１０には外端１１と内端１２があり、弱磁性部２１を備える基層２０は前述の２つの磁性体１０の外端１１とつながっているため、磁性体１１はその弱磁性部２１を経由して相互に吸着や離隔し、図１に示すように、基層２０の外側表面２３には商標、図案、文字２４を刻印することができるもので、前述の商標、図案、文字２４とは凸凹の紋を持った立体的な配置構造を成すものをいう。粘着層３０はその基層２０の裏側２２にあり、優れた実施例では離型層または離型フィルム３１は粘着層３０の上に設置され、前述の離型層または離型フィルム３１は取り外すことができ、ソフト磁石が書類または資料４０を吸着させる作用を備え、スペースを無駄にすることなく、図４のように、粘着層３０により直接パソコンのパネルまたはその他の類似物５０のどこにでも張り付くものとした。
【００１１】
図５、図６のように、本考案のもうひとつの実施例を挙げると、２つの相対する磁性吸着性がある磁性体１０を備え、外端１１と内端１２をもち、弱磁性部２１を備えた基層２０は２つの磁性体１０の外端１１とつながっている。離型層または離型フィルム３１は粘着層３０の上につけられ、前述の離型層または離型フィルム３１は除去することができるものとする。実際、基層２０の内側表面２５と磁性体１０の間には、磁性金属層を最低１つ設置する。本考案の実施例において、磁性吸着層６０の成分は鉄粉末、ゴム、樹脂またはその類似物などの材料を混ぜたものとし、その磁性吸着層６０は軟質の物性を形成することができる。これでわかったことは、磁性吸着層６０は硬質の物性も形成できるということである。前述の磁性金属層６０は、図７にように、その他の磁性金属物７０とメモや覚書８０を基層２０の外側表面２３に吸着することができるのである。
【００１２】
図８、図９は本考案の延長実施例の一つである。この実施例では２つの金属層６０を対称的に基層の内側表面２５と２つの磁性体１０の間に置いてみた。
【００１３】
図１０、図１１では本考案に係り実現する可能性のある実施例である。このソフト磁石が一体を形成するものは、磁性吸着面１５と非磁性吸着面１６という２つの相対する端面、基層２０が２つの相対する端面の非磁性吸着面１６で被覆され、弱磁性部２１を含み、磁性吸着面１５を相対的に吸引または離隔させるものが含まれる。粘着層３０は基層２０の裏側２２に、離型層または離型フィルム３１はその粘着層３０の上につけられており、前述の離型層または離型フィルム３１は取り外せるものとする。本考案で行なった実施例において、非磁性吸着面１６は基層の内側表面２５に沿って、磁性金属層を用いるために部分的に材料が取りはずせるようになっている。
【００１４】
図１２、図１３は本考案に係り実現する可能性があるもう一つの実施例である。磁気吸引層１７は外端１８と内端１９を持つ相対的に吸引する磁気吸引層１７があり、磁性金属層６０は磁気吸引層１７の外端１９につけられ、弱磁性部２１の基層２０は磁性金属層６０の外側に被覆されている。粘着層３０は基層２０の裏側２２につけられ、離型層または離型フィルム３１が粘着層３０の上につけられており、前述の離型層または離型フィルム３１は取り外すことができた。
【００１５】
したがって、図１３では磁性金属層６０が基層２０の内側表面２５と磁気吸引層１７の間に設置された様子を特に示した。
【００１６】
代表的なことは、このマグネット付き書類クリップの構造を改良したことによりスペースの利用の仕方が従来と違い、これまでになかった画期的な機能である。たとえば、現有のパソコン用書類クリップの価格の高さ、スペースの無駄、わずらわしさを一挙に改善し、さらに直接パソコン周辺のどこにでも貼れるようになるので、使用者にとっても見やすく、スペースの利用上の拘束を最低限に抑えた。また、それぞれのニーズに応じて商標、図案、外観も作製でき、その他磁性金属物にあわせてメモや覚書なども吸着させられる。
【図面の簡単な説明】
【００１７】
【図１】本考案の外観図。
【図２】本考案の別の外観図。
【図３】図２の一部構造の拡大図。
【図４】パソコン周辺に固定した場合の実施例。
【図５】本考案の別の実施例の外観図。
【図６】図５の平面図。
【図７】本考案にあわせ磁性吸引物が資料・メモ・覚書を吸着し、パソコン周辺に固定させた実施例。
【図８】本考案の延長実施例。
【図９】図８の平面図。
【図１０】本考案の実行実施例。
【図１１】図１０の平面図。
【図１２】本考案の別の延長実施例。
【図１３】図１２の平面図。
【符号の説明】
【００１８】
１０        磁性体
１１、１８  外端
１２、１９  内端
１５        磁気吸着面
１６        非磁気吸着面
１７        磁気吸引層
２０        基層
２１        弱磁性部
２２        基層裏面
２３        基層外側表面
２４        商標または図案または文字
２５        基層内側表面
３０        粘着層
３１        離型層または離型フィルム
４０        文書または資料
５０        パソコンパネルまたはその他類似物
６０        磁性金属層
７０        磁性物
８０        覚書またはメモ用紙
【図１】
0003119983.tif 000003
【図２】
0003119983.tif 000004
【図３】
0003119983.tif 000005
【図４】
0003119983.tif 000006
【図５】
0003119983.tif 000007
【図６】
0003119983.tif 000008
【図７】
0003119983.tif 000009
【図８】
0003119983.tif 000010
【図９】
0003119983.tif 000011
【図１０】
0003119983.tif 000012
【図１１】
0003119983.tif 000013
【図１２】
0003119983.tif 000014
【図１３】
0003119983.tif 000015
【手続補正書】
【提出日】平成18年1月18日(2006.1.18)
【手続補正１】
【補正対象書類名】実用新案登録請求の範囲
【補正対象項目名】全文
【補正方法】変更
【補正の内容】
【実用新案登録請求の範囲】
【請求項１】
マグネット付き書類クリップ構造において、相対する２つの吸引する磁性体があり、その磁性体には外端と内端を含み、弱磁性部の基層をもち、前述の２つの磁性体の外端を接続または被覆し、磁性体をお互いに吸引または離隔し、粘着層が基層の裏側につけられており、離型層または離型フィルムの取り外しが可能な粘着層の上につけられていることを特徴とするマグネット付き書類クリップ構造。
【請求項２】
請求項１で述べたマグネット付き書類クリップ構造において、基層の外側表面に商標・図案・文字等が印刷できることを特徴とするマグネット付き書類クリップ構造。
【請求項３】
請求項１で述べたマグネット付き書類クリップ構造において、基層の内側表面と磁性体の間に磁性金属層が最低１つ入っていることを特徴とするマグネット付き書類クリップ構造。
【請求項４】
請求項１で述べたマグネット付き書類クリップ構造において、磁性金属層が対称的に基層の内側表面と２つの磁性体の間にそれぞれ入っていることを特徴とするマグネット付き書類クリップ構造。
【請求項５】
マグネット付き書類クリップ構造において、磁気吸引端と非磁気吸引端という相対する２つの端面を持ち、基層が相対する２つの端面の非磁気吸引端に被覆され、弱磁性部により磁気吸引端が相対して吸引・離隔し、粘着層が基層の裏側につけられ、離型層または離型フィルムがいつでも取り外せるように粘着層の上に取り付けてあることを特徴とするマグネット付き書類クリップ構造。
【請求項６】
請求項５で述べたマグネット付き書類クリップ構造において、基層の外側表面に商標・図案・文字が印刷できることを特徴とするマグネット付き書類クリップ構造。
【請求項７】
請求項５で述べたマグネット付き書類クリップ構造において、磁性金属層が最低１つ取り付けられるように非磁気吸引端が基層の内側表面に沿って一部のエリアの材料が取り外せることを特徴とするマグネット付き書類クリップ構造。
【請求項８】
マグネット付き書類クリップ構造において、相対して磁気吸引する磁気吸引層をもち、その磁気吸引層には外端と内端が含まれており、その磁気吸引層の外側を被覆する弱磁性部の基層を備え、その基層の裏側には粘着層が取り付けられており、取り外しが可能な離型層または離型フィルムがその粘着層の上につけられていることを特徴とするマグネット付き書類クリップ構造。
【請求項９】
請求項８で述べたマグネット付き書類クリップ構造において、基層の外側の表面に商標・図案・文字がプレスできることを特徴とするマグネット付き書類クリップ構造。
【請求項１０】
請求項８で述べたマグネット付き書類クリップ構造において、磁性金属層が磁気吸引層の外端につけられていることを特徴とするマグネット付き書類クリップ構造。
【請求項１１】
請求項１０で述べたマグネット付き書類クリップ構造において、磁性金属層が基層内側の表面と磁気吸引層の間に被覆されていることを特徴とするマグネット付き書類クリップ構造。
【手続補正２】
【補正対象書類名】明細書
【補正対象項目名】全文
【補正方法】変更
【補正の内容】
【考案の詳細な説明】
【技術分野】
【０００１】  本考案は粘着層、磁性金属層などのソフト磁石を使用したソフト磁石の構造に関する。
【背景技術】
【０００２】  最低１つの面に磁性がある細長い形状のものを応用し、金属性磁性をもつ物体または板体に対して吸引作用があるものを使い、紙や薄型の書類を磁性吸着作用により金属製の板や壁に掛け、使用者が見やすい設計にしてあるのは従来の技術である。例えば、ソフト磁石の多くは酸化鉄粉にゴムやプラスチックを混入した複合材料の中に、最低１回着磁加工し、パルス電流を使ってそれぞれの磁化エリアの磁気誘導装置を通し、基礎材料の表面にそれぞれ異なった磁性の磁極を感知させ、強靭かつ相互吸着または磁性金属質の材料（被吸着物）に吸着するソフト磁石を形成する。これらソフト磁石の裏面またはもう一方の面には商標または広告図案または文字を刻印することができ、しおりとしたり、書類の位置づけなどに使ったりすることができる。例えば、「特許文献１の『磁気吸着式書類クリップの構造』」、「特許文献２の『磁石型しおりの構造』」特許案などが典型的な実施例である。【０００３】
【特許文献１】台湾特許第９２２２０９１９号明細書
【特許文献２】台湾特許第９２２２０２６２号明細書
【０００４】  ソフト磁石が文書の位置づけで応用される課題は、使用者がパソコンを打とうとする時に、ソフト磁石がパソコンのパネルまたはパネル近くの位置に固定されにくいので、使用者にとり見にくいことである。実務的には使用者はパソコン用書類クリップなど別の固定器具を使って、打ちたい文書や資料を挟んでいる。しかし、パソコン用書類スタンドはかなりのスペースを取られるため、使用者も使うのが億劫になってくる。このように、ソフト磁石の応用面から考えて理想的とはいいがたいのである。【０００５】  代表的なことは、これらの参考資料はソフト磁石の設計技術面のことを指しており、技術面で少し改良しただけで、特許が与えられているのが現状である。もし、ソフト磁石の構造について再度検討したなら、その構造は使用者の違いにより、使用形態も変えられるほか、従来と違った使い方が可能になり、実際その応用範囲も広がるだろう。例えば、ソフト磁石の構造設計をもっと精密にするという条件に合わせ、直接パソコンのパネルの近くまたはその他類似物に固定させたり、このソフト磁石をさらに進化させてメモや覚書として使ったりすることもできるが、これらの課題は上述の特許案では教示も披露もされていない。
【考案の開示】
【考案が解決しようとする課題】
【０００６】  本考案の主な目的はマグネット付き書類クリップの構造を提供することにある。このクリップは２つの磁性吸着性のある磁性体を備え、磁性体は外端と内端を含み、弱磁性部の基層を備え、上述した２つの磁性体の外端を連結または被覆し、その磁性体が相対的に吸引または隔離させる。その基層の裏側には粘着層があり、ソフト磁石をパソコンのパネルまたはその他類似部品の上に固定することで、現有のパソコン用書類クリップの価格の高さとスペースの無駄などの欠点を改善するものである。【０００７】  本考案であるマグネット付き書類クリップの構造によれば、基層内側の表面と磁性体の間には最低１つの磁性金属層を入れ、その他の磁性金属物とメモや覚書などを基層の外側の表面に吸着させることができるものである。【０００８】  本考案であるマグネット付き書類クリップの構造によれば、一体を形成するものには、それぞれ磁性吸着端と非磁性吸着端という相対する２つの端面があり、また基層は弱磁性部を含む２つの相対する非磁性吸着端を被覆し、その磁性吸着端を吸引または離隔させるものが含まれる。
【課題を解決するための手段】
【０００９】  請求項１の考案は、マグネット付き書類クリップ構造において、相対する２つの吸引する磁性体があり、その磁性体には外端と内端を含み、弱磁性部の基層をもち、前述の２つの磁性体の外端を接続または被覆し、磁性体をお互いに吸引または離隔し、粘着層が基層の裏側につけられており、離型層または離型フィルムの取り外しが可能な粘着層の上につけられていることを特徴とするマグネット付き書類クリップ構造としている。  請求項２の考案は、請求項１で述べたマグネット付き書類クリップ構造において、基層の外側表面に商標、図案、文字等が印刷できることを特徴とするマグネット付き書類クリップ構造としている。  請求項３の考案は、請求項１で述べたマグネット付き書類クリップ構造において、基層の内側表面と磁性体の間に磁性金属層が最低１つ入っていることを特徴とするマグネット付き書類クリップ構造としている。  請求項４の考案は、請求項１で述べたマグネット付き書類クリップ構造において、磁性金属層が対称的に基層の内側表面と２つの磁性体の間にそれぞれ入っていることを特徴とするマグネット付き書類クリップ構造としている。  請求項５の考案は、マグネット付き書類クリップ構造において、磁気吸引端と非磁気吸引端という相対する２つの端面を持ち、基層が相対する２つの端面の非磁気吸引端に被覆され、弱磁性部により磁気吸引端が相対して吸引、離隔し、粘着層が基層の裏側につけられ、離型層または離型フィルムがいつでも取り外せるように粘着層の上に取り付けてあることを特徴とするマグネット付き書類クリップ構造としている。  請求項６の考案は、請求項５で述べたマグネット付き書類クリップ構造において、基層の外側表面に商標、図案、文字が印刷できることを特徴とするマグネット付き書類クリップ構造としている。  請求項７の考案は、請求項５で述べたマグネット付き書類クリップ構造において、磁性金属層が最低１つ取り付けられるように非磁気吸引端が基層の内側表面に沿って一部のエリアの材料が取り外せることを特徴とするマグネット付き書類クリップ構造としている。  請求項８の考案は、マグネット付き書類クリップ構造において、相対して磁気吸引する磁気吸引層をもち、その磁気吸引層には外端と内端が含まれており、その磁気吸引層の外側を被覆する弱磁性部の基層を備え、その基層の裏側には粘着層が取り付けられており、取り外しが可能な離型層または離型フィルムがその粘着層の上につけられていることを特徴とするマグネット付き書類クリップ構造としている。  請求項９の考案は、請求項８で述べたマグネット付き書類クリップ構造において、基層の外側の表面に商標、図案、文字がプレスできることを特徴とするマグネット付き書類クリップ構造としている。  請求項１０の考案は、請求項８で述べたマグネット付き書類クリップ構造において、磁性金属層が磁気吸引層の外端につけられていることを特徴とするマグネット付き書類クリップ構造としている。  請求項１１の考案は、請求項１０で述べたマグネット付き書類クリップ構造において、磁性金属層が基層内側の表面と磁気吸引層の間に被覆されていることを特徴とするマグネット付き書類クリップ構造としている。
【考案の効果】
【００１０】  本考案の主な目的はマグネット付き書類クリップの構造を提供することにある。このクリップは２つの磁性吸着性のある磁性体を備え、磁性体は外端と内端を含み、弱磁性部の基層を備え、上述した２つの磁性体の外端を連結または被覆し、その磁性体が相対的に吸引または隔離させる。その基層の裏側には粘着層があり、ソフト磁石をパソコンのパネルまたはその他類似部品の上に固定することで、現有のパソコン用書類クリップの価格の高さとスペースの無駄などの欠点を改善する。
【考案を実施するための最良の形態】
【００１１】  図１、図２、図３のように、本考案であるマグネット付き書類クリップの構造は、２つの相対する磁性吸着性がある磁性体１０を備え、その磁性体１０には外端１１と内端１２があり、弱磁性部２１を備える基層２０は前述の２つの磁性体１０の外端１１とつながっているため、磁性体１１はその弱磁性部２１を経由して相互に吸着や離隔し、図１に示すように、基層２０の外側表面２３には商標、図案、文字２４を刻印することができるもので、前述の商標、図案、文字２４とは凸凹の紋を持った立体的な配置構造を成すものをいう。粘着層３０はその基層２０の裏側２２にあり、優れた実施例では離型層または離型フィルム３１は粘着層３０の上に設置され、前述の離型層または離型フィルム３１は取り外すことができ、ソフト磁石が書類または資料４０を吸着させる作用を備え、スペースを無駄にすることなく、図４のように、粘着層３０により直接パソコンのパネルまたはその他の類似物５０のどこにでも張り付くものとした。【００１２】  図５、図６のように、本考案のもうひとつの実施例を挙げると、２つの相対する磁性吸着性がある磁性体１０を備え、外端１１と内端１２をもち、弱磁性部２１を備えた基層２０は２つの磁性体１０の外端１１とつながっている。離型層または離型フィルム３１は粘着層３０の上につけられ、前述の離型層または離型フィルム３１は除去することができるものとする。実際、基層２０の内側表面２５と磁性体１０の間には、磁性金属層を最低１つ設置する。本考案の実施例において、磁性吸着層６０の成分は鉄粉末、ゴム、樹脂またはその類似物などの材料を混ぜたものとし、その磁性吸着層６０は軟質の物性を形成することができる。これでわかったことは、磁性吸着層６０は硬質の物性も形成できるということである。前述の磁性金属層６０は、図７のように、その他の磁性金属物７０とメモや覚書８０を基層２０の外側表面２３に吸着することができるのである。【００１３】  図８、図９は本考案の延長実施例の一つである。この実施例では２つの金属層６０を対称的に基層の内側表面２５と２つの磁性体１０の間に置いてみた。【００１４】  図１０、図１１では本考案に係り実現する可能性のある実施例である。このソフト磁石が一体を形成するものは、磁性吸着面１５と非磁性吸着面１６という２つの相対する端面、基層２０が２つの相対する端面の非磁性吸着面１６で被覆され、弱磁性部２１を含み、磁性吸着面１５を相対的に吸引または離隔させるものが含まれる。粘着層３０は基層２０の裏側２２に、離型層または離型フィルム３１はその粘着層３０の上につけられており、前述の離型層または離型フィルム３１は取り外せるものとする。本考案で行なった実施例において、非磁性吸着面１６は基層の内側表面２５に沿って、磁性金属層を用いるために部分的に材料が取りはずせるようになっている。【００１５】  図１２、図１３は本考案に係り実現する可能性があるもう一つの実施例である。磁気吸引層１７は外端１８と内端１９を持つ相対的に吸引する磁気吸引層１７があり、磁性金属層６０は磁気吸引層１７の外端１９につけられ、弱磁性部２１の基層２０は磁性金属層６０の外側に被覆されている。粘着層３０は基層２０の裏側２２につ��られ、離型層または離型フィルム３１が粘着層３０の上につけられており、前述の離型層または離型フィルム３１は取り外すことができた。【００１６】  したがって、図１３では磁性金属層６０が基層２０の内側表面２５と磁気吸引層１７の間に設置された様子を特に示した。【００１７】  代表的なことは、このマグネット付き書類クリップの構造を提供したことによりスペースの利用の仕方が従来と違い、これまでになかった画期的な機能である。たとえば、現有のパソコン用書類クリップの価格の高さ、スペースの無駄、わずらわしさを一挙に改善し、さらに直接パソコン周辺のどこにでも貼れるようになるので、使用者にとっても見やすく、スペースの利用上の拘束を最低限に抑えた。また、それぞれのニーズに応じて商標、図案、外観も作製でき、その他磁性金属物にあわせてメモや覚書なども吸着させられる。
【図面の簡単な説明】
【００１８】
【図１】本考案の外観図。
【図２】本考案の別の外観図。
【図３】図２の一部構造の拡大図。
【図４】パソコン周辺に固定した場合の実施例。
【図５】本考案の別の実施例の外観図。
【図６】図５の平面図。
【図７】本考案にあわせ磁性吸引物が資料・メモ・覚書を吸着し、パソコン周辺に固定させた実施例。
【図８】本考案の延長実施例。
【図９】図８の平面図。
【図１０】本考案の実行実施例。
【図１１】図１０の平面図。
【図１２】本考案の別の延長実施例。
【図１３】図１２の平面図。
【符号の説明】
【００１９】１０        磁性体１１、１８  外端１２、１９  内端１５        磁気吸着面１６        非磁気吸着面１７        磁気吸引層２０        基層２１        弱磁性部２２        基層裏面２３        基層外側表面２４        商標または図案または文字２５        基層内側表面３０        粘着層３１        離型層または離型フィルム４０        文書または資料５０        パソコンパネルまたはその他類似物６０        磁性金属層７０        磁性物８０        覚書またはメモ用紙